(57)【要約】【課題】  全体が小型で、かつ高ズーム比でありながら、像ぶれ補正時の収差変動を良好に補正し、像ぶれ補正時にも高い光学性能が得られるズームレンズを得ること。【解決手段】  物体側から像側へ順に配置された、正の屈折力の第１レンズ群、負の屈折力の第２レンズ群、正の屈折力の第３レンズ群、２つ以上のレンズ群を含む後群より構成され、ズーミングに際して隣り合うレンズ群の間隔が変化するズームレンズであって、前記ズームレンズは結像位置を光軸に対して垂直方向へ移動させる機能を有する補正レンズ群を有し、前記補正レンズ群は、物体側から像側へ順に配置された正の屈折力の第１部分群、光軸に対して垂直方向の成分を持つ方向に移動可能な正の屈折力の第２部分群、負の屈折力の第３部分群で構成され、広角端において無限遠に合焦時の前記ズームレンズの焦点距離ｆｗ、前記補正レンズ群の焦点距離ｆｘｙｚを適切に設定したこと。【選択図】図１
2020071439.tif 000002
【特許請求の範囲】
【請求項１】
ズーミングに際して隣り合うレンズ群の間隔が変化する複数のレンズ群を有するズームレンズであって、
前記ズームレンズは、物体側から像側へ順に配置された、正の屈折力の第１レンズ群、負の屈折力の第２レンズ群、正の屈折力の第３レンズ群、２つ以上のレンズ群を含む後群より構成され、
前記複数のレンズ群のうちの１つのレンズ群は、物体側から像側へ順に配置された、正の屈折力の第１部分群、像ぶれ補正に際して光軸に対して垂直方向の成分を持つ方向に移動可能な正の屈折力の第２部分群、負の屈折力の第３部分群より構成され、
広角端において無限遠に合焦時の前記ズームレンズの焦点距離をｆｗ、前記１つのレンズ群の焦点距離をｆｘｙｚとするとき、
０．０１＜ｆｘｙｚ／ｆｗ＜４．５５
なる条件式を満足することを特徴とするズームレンズ。
【請求項２】
前記第２部分群の焦点距離をｆｙとするとき、
０．８２＜ｆｘｙｚ／ｆｙ＜１０．００
なる条件式を満足する請求項１に記載のズームレンズ。
【請求項３】
前記第３部分群の焦点距離をｆｚとするとき、
−１０．０＜ｆｘｙｚ／ｆｚ＜−１．３
なる条件式を満足する請求項１または２に記載のズームレンズ。
【請求項４】
前記後群は物体側から像側へ順に配置された、正の屈折力の第４レンズ群、負の屈折力の第５レンズ群、負の屈折力の第６レンズ群より構成されることを特徴とする請求項１乃至３のいずれか１項に記載のズームレンズ。
【請求項５】
ズーミングに際して隣り合うレンズ群の間隔が変化する複数のレンズ群を有するズームレンズであって、
前記ズームレンズは、物体側から像側へ順に、配置された正の屈折力の第１レンズ群、負の屈折力の第２レンズ群、正の屈折力の第３レンズ群、１つ以上のレンズ群を含む後群より構成され、
前記複数のレンズ群のうちの１つのレンズ群は、物体側から像側へ順に配置された、正の屈折力の第１部分群、光軸に対して垂直方向の成分を持つ方向に移動可能な正の屈折力の第２部分群、負の屈折力の第３部分群より構成され、
広角端において無限遠に合焦時の前記ズームレンズの焦点距離をｆｗ、前記１つのレンズ群の焦点距離をｆｘｙｚ、前記第２部分群の焦点距離をｆｙ、前記第３部分群の焦点距離をｆｚとするとき、
０．０１＜ｆｘｙｚ／ｆｗ＜４．５５
０．８２＜ｆｘｙｚ／ｆｙ＜１０．００
−１０．０＜ｆｘｙｚ／ｆｚ＜−１．３
なる条件式を満足することを特徴とするズームレンズ。
【請求項６】
前記後群は、正の屈折力の第４レンズ群より構成されることを特徴とする請求項５に記載のズームレンズ。
【請求項７】
前記第２部分群よりも像側に、４枚以上のレンズを有することを特徴とする請求項１乃至６のいずれか１項に記載のズームレンズ。
【請求項８】
前記第２部分群よりも像側に、非球面レンズを有することを特徴とする請求項１乃至７のいずれか１項に記載のズームレンズ。
【請求項９】
前記第３部分群の最も像側のレンズ面から前記ズームレンズの最も像側のレンズ面までの距離をｌｉｓ、前記第２部分群の焦点距離をｆｙとするとき、
０．６０＜ｌｉｓ／ｆｙ＜５０．００
なる条件式を満足することを特徴とする請求項１乃至８のいずれか１項に記載のズームレンズ。
【請求項１０】
前記第２部分群は正レンズと負レンズを有することを特徴とする請求項１乃至９のいずれか１項に記載のズームレンズ。
【請求項１１】
前記１つのレンズ群は前記第３レンズ群であることを特徴とする請求項１乃至１０のいずれか１項に記載のズームレンズ。
【請求項１２】
前記第１部分群の焦点距離をｆｘとするとき、
０．３０＜ｆｘｙｚ／ｆｘ＜１０．００
なる条件式を満足する請求項１乃至１１のいずれか１項に記載のズームレンズ。
【請求項１３】
前記第１部分群は正レンズと負レンズを有するレンズを有することを特徴とする請求項１乃至１２のいずれか１項に記載のズームレンズ。
【請求項１４】
前記第１部分群、前記第２部分群、前記第３部分群のうち、光軸方向に最も厚い部分群は前記第１部分群、または前記第３部分群であることを特徴とする請求項１乃至１３のいずれか１項に記載のズームレンズ。
【請求項１５】
前記第２部分群の最も像側のレンズ面の曲率半径をＲｙｚ１、前記第３部分群の最も像側のレンズ面の曲率半径をＲｙｚ２とするとき、
０．５＜（Ｒｙｚ１＋Ｒｙｚ２）／（Ｒｙｚ１−Ｒｙｚ２）＜７５．０
なる条件式を満足する請求項１乃至１４のいずれか１項に記載のズームレンズ。
【請求項１６】
請求項１乃至１５のいずれか１項のズームレンズと、該ズームレンズによって形成された像を受光する撮像素子を有することを特徴とする撮像装置。
【発明の詳細な説明】
【技術分野】
【０００１】
本発明はズームレンズ及びそれを有する撮像装置に関し、特にスチルカメラ、ビデオカメラ、デジタルスチルカメラそして監視用カメラ等の撮像装置の撮像光学系として好適なものである。
【背景技術】
【０００２】
近年、撮像素子を用いた撮像装置に用いられるズームレンズには、全系が小型で高ズーム比で、高解像力（高い光学性能）を有することが要望されている。特に近年、ズームレンズに対しては、画面中心から画面周辺まで略均一な解像力で、高い光学性能を有することが要求されている。
【０００３】
また、ズームレンズに手ぶれ等の偶発的な振動が伝わったときに生ずる画像のぶれ（像ぶれ）を補償する機構（防振機構）を具備していること等が要望されている。これらの要求に応えるズームレンズとして、最も物体側に正の屈折力のレンズ群を配置したポジティブリード型のズームレンズが知られている。このポジティブリード型のズームレンズにおいて、像ぶれを一部のレンズ系（防振群）（像ぶれ補正群）を光軸に対して垂直方向の成分を持つように移動させて補償する防振機能を有したズームレンズが知られている（特許文献１、２）。
【０００４】
特許文献１では、物体側から像側へ順に、正、負、正、負、負の屈折力の第１レンズ群乃至第５レンズ群よりなる５群構成のズームレンズにおいて、第３レンズ群を正、正、正の屈折力の３つの部分群で構成している。そして物体側から２番目の部分群を垂直方向に移動させ、像ぶれ補正を行ったズームレンズを開示している。
【０００５】
特許文献２では、物体側から像側へ順に、正、負、負、正、正の屈折力の第１レンズ群乃至第５レンズ群よりなるズームレンズで、第４レンズ群を正の屈折力の部分群と負の屈折力の部分群から構成している。そして、負の屈折力の部分群で像ぶれ補正を行ったズームレンズを開示している。
【先行技術文献】
【特許文献】
【０００６】
【特許文献１】特開２０１４−２２８８１１号公報
【特許文献２】特開２０１３−９７１８４号公報
【発明の概要】
【発明が解決しようとする課題】
【０００７】
像ぶれ補正のための像ぶれ補正群を光軸に対して垂直方向に移動させて補正する場合には、移動機構（防振機構）の小型化、及び省電力化を図るために像ぶれ補正群が小型軽量であることが求められている。更に、像ぶれ補正時の収差変動、特に色収差の変動が少なく、像ぶれ補正時にも良好な光学性能が維持されること等が求められている。
【０００８】
ズームレンズの一部のレンズ系を像ぶれ補正群とし、光軸に対して垂直方向に平行偏心させて像ぶれの補正を行うズームレンズにおいては、比較的容易に像ぶれを補正することができる。しかしながらズームレンズのレンズ構成及び像ぶれ補正のために移動させる像ぶれ補正群のレンズ構成が適切でないと、像ぶれ補正時において偏心収差の発生量が多くなる。そうすると、像ぶれ補正時の光学性能が大きく低下したり、高ズーム比化を図ったとき諸収差が増大したりしてくる。このため、高ズーム比で、かつ像ぶれ補正機能を有するズームレンズでは、全体のズーム構成や像ぶれ補正群のレンズ構成等を適切に設定することが重要になる。
【０００９】
例えばズームレンズを構成するレンズ群の数、各レンズ群の屈折力の符号、ズーミングに際して移動するレンズ群の選択、像ぶれ補正群のレンズ構成等を適切に設定することが重要となる。
【００１０】
本発明は、全体が小型で、かつ高ズーム比でありながら、像ぶれ補正時の収差変動を良好に補正し、像ぶれ補正時にも高い光学性能が得られるズームレンズの提供を目的とする。
【課題を解決するための手段】
【００１１】
本発明のズームレンズは、ズーミングに際して隣り合うレンズ群の間隔が変化する複数のレンズ群を有するズームレンズであって、
前記ズームレンズは、物体側から像側へ順に配置された、正の屈折力の第１レンズ群、負の屈折力の第２レンズ群、正の屈折力の第３レンズ群、２つ以上のレンズ群を含む後群より構成され、
前記複数のレンズ群のうちの１つのレンズ群は、物体側から像側へ順に配置された、正の屈折力の第１部分群、像ぶれ補正に際して光軸に対して垂直方向の成分を持つ方向に移動可能な正の屈折力の第２部分群、負の屈折力の第３部分群より構成され、
広角端において無限遠に合焦時の前記ズームレンズの焦点距離をｆｗ、前記１つのレンズ群の焦点距離をｆｘｙｚとするとき、
０．０１＜ｆｘｙｚ／ｆｗ＜４．５５
なる条件式を満足することを特徴としている。
【００１２】
この他本発明のズームレンズは、ズーミングに際して隣り合うレンズ群の間隔が変化する複数のレンズ群を有するズームレンズであって、
前記ズームレンズは、物体側から像側へ順に、配置された正の屈折力の第１レンズ群、負の屈折力の第２レンズ群、正の屈折力の第３レンズ群、１つ以上のレンズ群を含む後群より構成され、
前記複数のレンズ群のうちの１つのレンズ群は、物体側から像側へ順に配置された、正の屈折力の第１部分群、光軸に対して垂直方向の成分を持つ方向に移動可能な正の屈折力の第２部分群、負の屈折力の第３部分群より構成され、
広角端において無限遠に合焦時の前記ズームレンズの焦点距離をｆｗ、前記１つのレンズ群の焦点距離をｆｘｙｚ、前記第２部分群の焦点距離をｆｙ、前記第３部分群の焦点距離をｆｚとするとき、
０．０１＜ｆｘｙｚ／ｆｗ＜４．５５
０．８２＜ｆｘｙｚ／ｆｙ＜１０．００
−１０．０＜ｆｘｙｚ／ｆｚ＜−１．３
なる条件式を満足することを特徴としている。
【発明の効果】
【００１３】
本発明によれば、高ズーム比で、像ぶれ補正時において全ズーム範囲にわたり高い光学性能を有するズームレンズを実現することができる。
【図面の簡単な説明】
【００１４】
【図１】実施例１ズームレンズの広角端におけるレンズ断面図
【図２】実施例１のズームレンズの収差図
【図３】実施例１のズームレンズの望遠端で像ぶれ補正時の収差図
【図４】実施例２のズームレンズの広角端におけるレンズ断面図
【図５】実施例２のズームレンズの収差図
【図６】実施例２のズームレンズの望遠端で像ぶれ補正時の収差図
【図７】実施例３のズームレンズの広角端におけるレンズ断面図
【図８】実施例３のズームレンズの収差図
【図９】実施例３のズームレンズの望遠端で像ぶれ補正時の収差図
【図１０】実施例４ズームレンズの広角端におけるレンズ断面図
【図１１】実施例４のズームレンズの収差図
【図１２】実施例４のズームレンズの望遠端で像ぶれ補正時の収差図
【図１３】実施例５のズームレンズの広角端におけるレンズ断面図
【図１４】実施例５のズームレンズの収差図
【図１５】実施例５のズームレンズの望遠端で像ぶれ補正時の収差図
【図１６】本発明の撮像装置の要部概略図
【発明を実施するための形態】
【００１５】
以下に本発明の好ましい実施の形態を、添付の図面に基づいて説明する。
【００１６】
本発明のズームレンズは、ズーミングに際して隣り合うレンズ群の間隔が変化する複数のレンズ群を有する。当該複数のレンズ群は、物体側から像側へ順に配置された、正の屈折力の第１レンズ群、負の屈折力の第２レンズ群、正の屈折力の第３レンズ群、１以上または２つ以上のレンズ群を含む後群より構成される。ズームレンズを構成する複数のレンズ群のうちの１つのレンズ群は、結像位置を光軸に対して垂直方向へ移動させる機能を有する。すなわち、手振れなどに起因する像ぶれを補正する機能を有する。このような機能を有するレンズ群を、以下の説明において補正レンズ群という。
【００１７】
また、当該補正レンズ群は、物体側から像側へ順に配置された、正の屈折力の第１部分群、光軸に対して垂直方向の成分を持つ方向に移動可能な正の屈折力の第２部分群、負の屈折力の第３部分群より構成されている。第３部分群が像ぶれ補正用の部分群として機能することにより、補正レンズ群は結像位置を光軸に対して垂直方向へ移動させる機能を有する。
【００１８】
図１は本発明のズームレンズの実施例１の無限遠に合焦時の広角端におけるレンズ断面図である。図２（Ａ）、（Ｂ）、（Ｃ）は、それぞれ実施例１の無限遠に合焦時における広角端、中間のズーム位置、望遠端における縦収差図である。図３は実施例１の望遠端で無限遠に合焦時で像ぶれ補正用の第２部分群を０．５０９ｍｍ振ったときの補正後の横収差図である。ここで第２部分群の移動量は、後述する数値データをｍｍ単位で表わしたときである。これは以下全ての実施例において同じである。実施例１はズーム比９．４２、Ｆナンバー４．１２〜６．４１のズームレンズである。
【００１９】
図４は本発明のズームレンズの実施例２の無限遠に合焦時の広角端におけるレンズ断面図である。図５（Ａ）、（Ｂ）、（Ｃ）は、それぞれ実施例２の無限遠に合焦時における広角端、中間のズーム位置、望遠端における縦収差図である。図６は実施例２の望遠端で無限遠に合焦時で像ぶれ補正用の第２部分群を０．７７１ｍｍ振ったときの補正後の横収差図である。実施例２はズーム比１２．１４、Ｆナンバー４．１２〜６．４９のズームレンズである。
【００２０】
図７は本発明のズームレンズの実施例３の無限遠に合焦時の広角端におけるレンズ断面図である。図８（Ａ）、（Ｂ）、（Ｃ）は、それぞれ実施例３の無限遠に合焦時における広角端、中間のズーム位置、望遠端における縦収差図である。図９は実施例３の望遠端で無限遠に合焦時で像ぶれ補正用の第２部分群を０．７３４ｍｍ振ったときの補正後の横収差図である。実施例３はズーム比１１．３３、Ｆナンバー４．１２〜６．４９のズームレンズである。
【００２１】
図１０は本発明のズームレンズの実施例４の無限遠に合焦時の広角端におけるレンズ断面図である。図１１（Ａ）、（Ｂ）、（Ｃ）は、それぞれ実施例４の無限遠に合焦時における広角端、中間のズーム位置、望遠端における縦収差図である。図１２は実施例４の望遠端で無限遠に合焦時で像ぶれ補正用の第２部分群を０．４３０ｍｍ振ったときの補正後の横収差図である。実施例４はズーム比８．０９、Ｆナンバー４．１２〜６．４１のズームレンズである。
【００２２】
図１３は本発明のズームレンズの実施例５の無限遠に合焦時の広角端におけるレンズ断面図である。図１４（Ａ）、（Ｂ）、（Ｃ）は、それぞれ実施例５の無限遠に合焦時における広角端、中間のズーム位置、望遠端における縦収差図である。図１５は実施例５の望遠端で無限遠に合焦時で像ぶれ補正用の第２部分群を０．４３７ｍｍ振ったときの補正後の横収差図である。実施例５はズーム比８．０９、Ｆナンバー４．１２〜６．４１のズームレンズである。
【００２３】
図１６は本発明の撮像装置の要部概略図である。
【００２４】
各実施例のレンズは、ビデオカメラ、デジタルスチルカメラ、監視カメラなどの撮像装置に用いられる撮像光学系である。なお、各実施例のズームレンズは投射装置（プロジェクタ）用の投射光学系として用いることもできる。レンズ断面図において、左方が物体側（前方）で、右方が像側（後方）である。
【００２５】
レンズ断面図において、Ｌ０はズームレンズである。Ｌｉは第ｉレンズ群である。ＬＲは１つ以上のレンズ群を有する後群である。ＸＹＺは像ぶれ補正用（防振用）の像ぶれ補正群を有する補正レンズ群である。ＳＰは開放Ｆナンバー（Ｆｎｏ）の光束を決定（制限）する開口絞りである。ＩＰは像面であり、ビデオカメラやデジタルスチルカメラの撮影光学系として使用する際にはＣＣＤセンサやＣＭＯＳセンサ等の撮像素子（光電変換素子）の撮像面が置かれる。
【００２６】
矢印は広角端から望遠端へのズーミング（変倍）に際して、各レンズ群の移動軌跡を示している。フォーカスに関する矢印は無限遠から近距離にフォーカシングをするときのレンズ群の移動方向を示す。
【００２７】
縦収差図においてＦｎｏはＦナンバー、ωは撮像半画角（度）であり、光線追跡値による画角である。球面収差図において、ｄはｄ線（波長５８７．６ｎｍ）、ｇはｇ線（波長４３５．８ｎｍ）である。非点収差図においてＳはｄ線におけるサジタル像面、Ｍはｄ線におけるメリディオナル像面である。歪曲収差はｄ線について示している。倍率色収差図においてｇはｇ線である。
【００２８】
また、フラウンフォーファー線のｇ線（波長４３５．８ｎｍ），Ｆ線（４８６．１ｎｍ），ｄ線（５８７．６ｎｍ），Ｃ線（６５６．３ｎｍ）に対する材料の屈折率をそれぞれＮｇ，ＮＦ，Ｎｄ，ＮＣとする。そして、材料のアッベ数νｄを、
νｄ＝（Ｎｄ−１）／（ＮＦ−ＮＣ）
として表している。
【００２９】
実施例１、２、３のズームレンズは、物体側から像側へ順に配置された次のレンズ群より構成されている。正の屈折力の第１レンズ群Ｌ１、負の屈折力の第２レンズ群Ｌ２、正の屈折力の第３レンズ群Ｌ３、２つ以上のレンズを有する後群ＬＲより構成されている。後群ＬＲは正の屈折力の正の第４レンズ群Ｌ４、負の屈折力の第５レンズ群Ｌ５、負の屈折力の第６レンズ群Ｌ６で構成される。補正レンズ群は第３レンズ群Ｌ３である。像ぶれ補正時には、接合レンズより構成される像ぶれ補正用の第２部分群が光軸に対して垂直方向の成分を持つ方向に移動する。
【００３０】
矢印は広角端から望遠端へのズーミングにおける各レンズ群の移動軌跡を示している。実線の矢印５ａは無限遠にフォーカスしているときの広角端から望遠端へのズーミングに際しての第５レンズ群Ｌ５の移動軌跡である。点線の矢印５ｂは近距離にフォーカスしているときの広角端から望遠端へのズーミングに際しての第５レンズ群Ｌ５の移動軌跡である。無限遠から至近へのフォーカシングに際し、第５レンズ群Ｌ５は矢印５Ｃの如く像側へ移動する。
【００３１】
実施例４、５のズームレンズは、物体側から像側へ順に配置された次のレンズ群より構成されている。正の屈折力の第１レンズ群Ｌ１、負の屈折力の第２レンズ群Ｌ２、正の屈折力の第３レンズ群Ｌ３、正の屈折力の第４レンズ群Ｌ４で構成される。補正レンズ群は第３レンズ群Ｌ３である。像ぶれ補正時には、接合レンズで構成される第２部分群が光軸に対して垂直方向の成分を持つ方向に移動する。矢印は広角端から望遠端へのズーミングにおける各レンズ群の移動軌跡を示している。無限遠から至近へのフォーカシングに際し、第４レンズ群Ｌ４の全部は第４レンズ群Ｌ４のうち一部のレンズが像側へ移動する。
【００３２】
本発明のズームレンズの特徴について説明する。
【００３３】
本発明は、像ぶれ補正群（防振群）を含む補正レンズ群ＸＹＺを、正の屈折力の第１部分群、垂直方向の成分を持つ方向に移動する正の屈折力の第２部分群（像ぶれ補正群）Ｙ、負の屈折力の第３部分群で構成している。そして広角端において無限遠に合焦時のズームレンズＬ０の焦点距離と、補正レンズ群ＸＹＺの焦点距離の比を適切に設定している。
【００３４】
具体的には、広角端において無限遠に合焦時のズームレンズＬ０の焦点距離をｆｗ、補正レンズ群ＸＹＺの焦点距離をｆｘｙｚとする。このとき、
０．０１＜ｆｘｙｚ／ｆｗ＜４．５５                              ・・・（１）
なる条件を満足する。
【００３５】
各実施例のズームレンズは、像ぶれ補正群を含む補正レンズ群ＸＹＺを有している。補正レンズ群ＸＹＺは正の屈折力の第１部分群、像ぶれ補正用の正の屈折力の第２部分群、負の屈折力の第３部分群で構成されている。この補正レンズ群ＸＹＺの光学的作用に関して説明する。
【００３６】
防振機構の小型化のため、像ぶれ補正群となる第２部分群Ｙは、小径化することが重要である。そのため、正の屈折力の第１部分群Ｘを像ぶれ補正を行う第２部分群Ｙの物体側に配置して、第２部分群Ｙの外径の小型化を図っている。また、像ぶれ補正時の振り量が小さいほうが、防振機構の小型化が容易となる。そのため、像ぶれ補正群の像側に負の屈折力の第３部分群Ｚを配置して像ぶれを行う第２部分群Ｙの正の屈折力を大きくし、像ぶれ補正時の振り量を抑制している。
【００３７】
また、第１部分群Ｘ、第２部分群Ｙ、第３部分群Ｚの各群は屈折力が高く、偏芯による光学性能への影響が大きい。そのため、ズーミングに際して一体に移動する機構とすることにより、製造上、広角端から望遠端まで安定した光学性能を得ている。
【００３８】
そして、条件式（１）を満たすことで、高ズーム比で、全ズーム範囲にわたり高い光学性能を有するズームレンズを得ている。
【００３９】
条件式（１）は補正レンズ群ＸＹＺとズームレンズの広角端での焦点距離の関係を規定している。条件式（１）を満たすことで、ズームレンズの小型化と高ズーム比を効率的に達成している。条件式（１）の下限を超えると、補正レンズ群ＸＹＺの正の屈折力が強くなりすぎ、ズーミングに際して諸収差の変動を軽減するのが困難となる。条件式（１）の上限を超えると、補正レンズ群ＸＹＺの正の屈折力が弱くなりすぎ、ズーム比を効果的に得るのが困難となる。更に好ましくは、条件式（１）の数値範囲は次の如く設定するのが良い。
【００４０】
１．００＜ｆｘｙｚ／ｆｗ＜４．３０                              ・・・（１ａ）
各実施例では、防振機能（像ぶれ補正機能）を有する補正レンズ群ＸＹＺを、正の屈折力の第Ｘレンズ群、正の屈折力の第Ｙレンズ群、負の屈折力の第Ｚレンズ群で構成している。そして条件式（１）を満たすことで、高ズーム比で、全ズーム範囲にわたり高い光学性能を有するズームレンズを得ている。
【００４１】
各実施例において、更に好ましくは次の条件式のうち１つ以上満足するのが良い。
【００４２】
第１部分群Ｘの焦点距離をｆｘ、第２部分群Ｙの焦点距離をｆｙ、第３部分群Ｚの焦点距離をｆｚとする。第３部分群Ｚの最も像側の面からズームレンズの最も像側のレンズ面までの距離をｌｉｓ、第２部分群Ｙの最も像側のレンズ面の曲率半径をＲｙｚ１、第３部分群Ｚの最も物体側のレンズ面の曲率半径をＲｙｚ２とする。
【００４３】
このとき次の条件式のうち１つ以上を満足するのが良い。
【００４４】
０．８２＜ｆｘｙｚ／ｆｙ＜１０．００                            ・・・（２）
−１０．０＜ｆｘｙｚ／ｆｚ＜−１．３                            ・・・（３）
０．６０＜ｌｉｓ／ｆｙ＜５０．００                              ・・・（４）
０．３０＜ｆｘｙｚ／ｆｘ＜１０．００                            ・・・（５）
０．５＜（Ｒｙｚ１＋Ｒｙｚ２）／（Ｒｙｚ１−Ｒｙｚ２）＜７５．０・・・（６）
次の前述の条件式の技術的意味について説明する。
【００４５】
条件式（２）は補正レンズ群ＸＹＺの焦点距離と第２部分群Ｙの焦点距離の関係を規定している。条件式（２）の下限を超えると、第２部分群Ｙの正の屈折力が弱くなりすぎ、像ぶれ補正（防振）時に垂直方向への振り量が大きくなり、像ぶれ補正機構（防振機構）が大型化する。条件式（２）の上限を超えると、第２部分群Ｙの正の屈折力が強くなりすぎ、像ぶれ補正時の垂直方向への高精度な移動制御が困難となる。
【００４６】
条件式（３）は補正レンズ群ＸＹＺの焦点距離と第３部分群Ｚの焦点距離の関係を規定している。条件式（３）の下限を超えると、第３部分群Ｚの負の屈折力が強くなりすぎ（負の屈折力の絶対値が大きくなりすぎ）、軸外光束が大きく発散され、補正レンズ群ＸＹＺよりも像側のレンズ群の有効径が大型化する。条件式（３）の上限を超えると、第３部分群Ｚの負の屈折力が弱くなりすぎ（負の屈折力の絶対値が小さくなりすぎ）、補正レンズ群ＸＹＺの前側主点が物体側に押し出す効果が低減し、高ズーム比化が困難となる。
【００４７】
条件式（４）は第３部分群Ｚの最も像側のレンズ面からズームレンズＬ０の最も像側のレンズ面までの距離と第２部分群Ｙの焦点距離の関係を規定している。条件式（４）の下限を超えると、補正レンズ群ＸＹＺよりも像側レンズ面への軸外光線の入射高が高く、光束の分離性が良い位置にレンズ群を配置するスペースが少なくなり、諸収差の補正が困難と成る。条件式（４）の上限を超えると、補正レンズ群ＸＹＺよりも像側のレンズ群の長さが長過ぎ、ズームレンズのレンズ全長が増大してくる。
【００４８】
条件式（５）は補正レンズ群ＸＹＺの焦点距離と第１部分群Ｘの焦点距離の関係を規定している。条件式（５）の下限を超えると、第１部分群Ｘの正の屈折力が弱くなりすぎ、像側に配置される第２部分群Ｙの有効径が大型化する。条件式（５）の上限を超えると、第１部分群Ｘの正の屈折力が強くなりすぎ、球面収差やコマ収差の補正が困難となる。
【００４９】
条件式（６）は、第２部分群Ｙと第３部分群Ｚの間の空気レンズのシェイプファクタ（レンズ形状）を規定している。条件式（６）の上限、又は下限を超えると、第２部分群Ｙと第３部分群Ｚ間の空気レンズの屈折力が強くなり、空気間隔の変化による球面収差の変化が大きくなる。その結果、製造誤差による球面収差の変化が大きくなり、高精度な製造が困難となる。
【００５０】
尚、各実施例において、更に好ましくは、条件式（２）乃至（６）の数値範囲を次の如く設定するのが良い。
【００５１】
１．０＜ｆｘｙｚ／ｆｙ＜４．０                                  ・・・（２ａ）
−４．００＜ｆｘｙｚ／ｆｚ＜−１．３０                          ・・・（３ａ）
０．８０＜ｌｉｓ／ｆｙ＜１０．００                              ・・・（４ａ）
０．７０＜ｆｘｙｚ／ｆｘ＜５．００                              ・・・（５ａ）
０．８＜（Ｒｙｚ１＋Ｒｙｚ２）／（Ｒｙｚ１−Ｒｙｚ２）＜２０．０・・・（６ａ）
次に各実施例において好ましい構成について説明する。
【００５２】
実施例１乃至３のズームレンズにおいては、補正レンズ群ＸＹＺの像側に２つ以上のレンズ群を有する。これらの、レンズ群の各レンズ群の間隔はズーミングに際して、変化することが好ましい。軸上光束と軸外光束の分離性の良い位置でレンズ群の間隔を変更することで、ズーミングによる軸外収差の変動を軽減するのが容易となる。
【００５３】
各実施例において、補正レンズ群ＸＹＺの像側に４枚以上のレンズを有することが好ましい。軸上光束と軸外光束の分離性の良い位置で複数枚のレンズを配置することで、ズーミングによる軸外収差の変動を軽減するのが容易となる。また、補正レンズ群ＸＹＺの像側に非球面レンズを有することが好ましい。軸外光束の高い位置で収差補正に効果的な非球面レンズを配置することで、ズーミングによる軸外収差の変動を軽減するのが容易となる。
【００５４】
また、第２部分群Ｙは正レンズと負レンズを有することが好ましい。これによれば、像ぶれ補正時の色収差の抑制を図ることが容易となる。また、第１部分群Ｘは正レンズと負レンズを有することが好ましい。これによれば、色収差の抑制を図ることが容易となる。また、第２部分群Ｙを構成するレンズは、全て球面レンズであることが好ましい。これにより、研磨によるレンズ加工が容易となり、高い量産性を実現することが容易となる。
【００５５】
また、補正レンズ群ＸＹＺは第３レンズ群Ｌ３であることが好ましい。高ズーム比化には、第３レンズ群Ｌ３の前側主点位置を物体側に繰り出すことが望ましく、前側主点位置を繰り出す構成の補正レンズ群ＸＹＺを第３レンズ群Ｌ３とすることで、高ズーム比のズームレンズ群を効率的に実現することが容易となる。また、第１部分群Ｘ、第２部分群Ｙ、第３部分群Ｚのうち、光軸方向に最も厚い部分群は、第１部分群Ｘ、または第３部分群Ｚであることが好ましい。第２部分群Ｙが最も厚い場合は、防振機構が大型化してくるので好ましくない。なお、部分群の光軸方向の厚さは、その部分群の最も物体側のレンズ面から最も像側のレンズ面までの長さをいう。
【００５６】
以上のように本発明によれば、高ズーム比で、全ズーム範囲にわたり高い光学性能を有する防振ズームレンズを実現することが容易となる。
【００５７】
次に各実施例のズームレンズの構成について説明する。
【００５８】
実施例１、２、３のズームレンズは、物体側から像側へ順に配置された次のレンズ群より構成されている。正の屈折力の第１レンズ群Ｌ１、負の屈折力の第２レンズ群Ｌ２、正の屈折力の第３レンズ群Ｌ３、２つ以上のレンズを有する後群ＬＲより構成されている。後群ＬＲは正の屈折力の第４レンズ群Ｌ４、負の屈折力の第５レンズ群Ｌ５、負の屈折力の第６レンズ群Ｌ６で構成される。補正レンズ群は第３レンズ群Ｌ３である。
【００５９】
像ぶれ補正時には、接合レンズより構成される像ぶれ補正用の第２部分群が光軸に対して垂直方向の成分を持つ方向に移動する。無限遠から至近へのフォーカシングに際し、第５レンズ群Ｌ５は矢印５Ｃの如く像側へ移動する。
【００６０】
実施例４、５のズームレンズは、物体側から像側へ順に配置された次のレンズ群より構成されている。正の屈折力の第１レンズ群Ｌ１、負の屈折力の第２レンズ群Ｌ２、正の屈折力の第３レンズ群Ｌ３、１つ以上のレンズ群を含む後群ＬＲより構成されている。後群ＬＲは、第４レンズ群Ｌ４で構成される。補正レンズ群は第３レンズ群Ｌ３である。正の屈折力の像ぶれ補正時には、接合レンズで構成される第２部分群が光軸に対して垂直方向の成分を持つ方向に移動する。無限遠から至近へのフォーカシングに際し、第４レンズ群Ｌ４の全部は第４レンズ群Ｌ４のうち一部のレンズが像側へ移動する。
【００６１】
尚、実施例４、５においては前述の条件式（１）乃至（３）を同時に満足するのが好ましい。
【００６２】
次に本発明のズームレンズを用いた撮像装置について図１６を用いて説明する。
【００６３】
図１６において、３０はカメラ本体、３１は実施例１乃至５で説明したいずれかのズームレンズによって構成された撮像光学系である。撮影光学系３１によって形成された被写体像を受光するＣＣＤセンサやＣＭＯＳセンサ等の撮像素子（光電変換素子）はカメラ本体に内蔵される。
【００６４】
以上、本発明の好ましい実施形態について説明したが、本発明はこれらの実施形態に限定されず、その要旨の範囲内で種々の変形および変更が可能である。たとえば、屈折光学素子（いわゆるレンズ）だけでなく、回折光学素子を有した光学系であっても良い。
【００６５】
以下に、実施例１乃至５にそれぞれ対応する数値データ１乃至５を示す。各数値データにおいてｒｉは物体側より順に第ｉ番目の面の曲率半径、ｄｉは物体側より順に第ｉ番目と第ｉ＋１番目間のレンズ厚及び空気間隔、ｎｉとνｉは各々物体側より順に第ｉ番目の光学部材の材料の屈折率とアッベ数である。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。
【００６６】
【数１】
2020071439.tif 000003
半画角は光線追跡値による半画角を示す、ＢＦはバックフォーカスであり、撮像面側のセンサのフェースプレートやローパスフィルター等のガラスブロックを除いた最終レンズ面から結像面位置までの光軸上の空気換算距離である。また、レンズ全長は、ズームレンズの最も物体側のレンズ面から最も像側のレンズ面までの光軸上の距離に、バックフォーカスを加えた長さである。前述の各条件式と各数値データにおける諸数値との関係を表１に示す。
【００６７】
（数値データ１）
単位 mm
面データ
面番号       r        d      nd         vd       有効径
1        131.399    1.85   1.90366    31.3       56.83
2         68.561    8.49   1.49700    81.5       55.44
3       -730.653    0.15                         55.12
4         68.792    6.48   1.61800    63.4       53.52
5        664.437  (可変)                         52.76
6        243.528    1.28   1.85150    40.8       27.59
7         20.583    4.73                         22.38
8        -56.381    1.09   1.85150    40.8       21.97
9         45.818    0.46                         20.78
10         35.871    4.51   1.92286    20.9       20.58
11        -61.247    0.84                         19.64
12        -32.368    1.03   1.77250    49.6       19.45
13        821.472  (可変)                         18.64
14(絞り)    ∞       0.35                         16.32
15         27.034    3.05   1.76182    26.5       17.03
16       -852.680    0.15                         16.92
17         19.840    3.53   1.58144    40.8       16.65
18          ∞       0.82   2.00100    29.1       15.95
19         20.522    2.70                         15.21
20         35.803    0.80   2.00069    25.5       15.50  第２部分群
21         18.888    3.99   1.72000    43.7       15.26  第２部分群
22        -63.451    2.27                         15.19  第２部分群
23        -26.036    0.80   2.00100    29.1       14.80
24       -164.761  (可変)                         15.10
25*        45.628    2.42   1.53110    55.9       21.58
26*       246.555    0.90                         22.57
27       -170.519    1.25   1.85478    24.8       22.75
28        170.589    5.53   1.59282    68.6       23.82
29        -26.647    0.15                         25.08
30         45.538    6.19   1.49700    81.5       27.28
31        -45.788  (可変)                         27.38
32         93.245    1.81   1.80518    25.4       25.57
33        304.630    1.10   1.63854    55.4       25.27
34         23.508  (可変)                         24.12
35        -53.590    1.28   1.83481    42.7       27.19
36         53.854    4.88   1.84666    23.8       29.26
37       -109.597  (可変)                         30.00
像面        ∞   
非球面データ
第25面
K = 0.00000e+000  A 4=-3.69428e-006  A 6=-1.81514e-007  A 8= 1.12707e-009  A10=-1.37724e-011  A12= 4.19334e-014  
第26面
K = 0.00000e+000  A 4= 2.68822e-005  A 6=-1.85641e-007  A 8= 9.59349e-010  A10=-1.18429e-011  A12= 3.67346e-014  
各種データ
ズーム比      9.42 
広角     中間     望遠
焦点距離      24.72    85.00   232.80  
Fナンバー      4.12     5.66     6.41  
半画角（度）  37.55    14.28     5.31  
像高          19.00    21.64    21.64  
レンズ全長   142.00   183.82   214.00  
BF            15.78    45.06    57.20  
d 5            1.34    32.74    59.28  
d13           22.25     8.64     2.35  
d24            8.46     3.21     1.00  
d31            3.73     4.64     1.50  
d34           15.54    14.63    17.77  
d37           15.78    45.06    57.20  
入射瞳位置    30.57    98.84   259.37  
射出瞳位置   -58.97   -44.91   -42.49  
前側主点位置  47.11   103.54   -51.47  
後側主点位置  -8.94   -39.94  -175.60  
レンズ群データ
群  始面    焦点距離  レンズ構成長  前側主点位置  後側主点位置
1    1     103.63        16.97         5.21         -5.67
2    6     -16.74        13.94         2.74         -6.83
3   14      60.67        18.47       -20.76        -25.35
4   25      22.87        16.44         7.17         -4.32
5   32     -53.51         2.91         2.47          0.75
6   35    -138.27         6.16        -3.59         -7.12
単レンズデータ
レンズ  始面  焦点距離
1       1   -160.90
2       2    126.56
3       4    123.65
4       6    -26.47
5       8    -29.54
6      10     25.07
7      12    -40.29
8      15     34.45
9      17     34.12
10      18    -20.50
11      20    -40.92
12      21     20.63
13      23    -30.98
14      25    104.98
15      27    -99.60
16      28     39.29
17      30     47.00
18      32    166.25
19      33    -39.95
20      35    -32.00
21      36     43.24
（数値データ２）
単位 mm
面データ
面番号       r        d      nd         vd       有効径
1        112.147    2.40   1.90366    31.3       60.02
2         71.272    8.23   1.49700    81.5       58.49
3      -7459.449    0.15                         58.13
4         82.892    6.55   1.49700    81.5       56.63
5       1699.730  (可変)                         55.86
6      -25607.668    1.75   1.85150    40.8       33.35
7         24.930    4.73                         26.99
8       -161.592    1.40   1.53775    74.7       26.79
9         24.230    3.97   1.89286    20.4       24.10
10         99.056    2.16                         23.19
11        -53.039    1.20   1.76385    48.5       22.96
12      -1213.107  (可変)                         22.21
13(絞り)    ∞       0.40                         18.09
14         32.991    3.12   1.57501    41.5       18.74
15       -122.831    0.20                         18.75
16         36.540    3.60   1.61293    37.0       18.62
17        -48.962    1.00   1.95375    32.3       18.24
18         45.085    1.09                         17.88
19         49.738    1.00   1.95375    32.3       18.01  第２部分群
20         22.552    3.80   1.71999    50.2       17.78  第２部分群
21        -82.995    2.11                         17.75  第２部分群
22        -25.563    2.91   1.95375    32.3       17.56
23        -14.773    1.00   1.83400    37.2       17.94
24       -118.315  (可変)                         18.61
25*        60.756    4.29   1.58313    59.4       23.59
26*       -39.177    1.52                         23.95
27       29373.826    1.30   1.85478    24.8       24.93
28         74.143    9.06   1.49700    81.5       25.40
29        -26.280  (可変)                         26.82
30         77.159    2.67   2.00069    25.5       25.50
31       -495.414    1.35   1.89190    37.1       25.21
32         29.373  (可変)                         24.29
33        -35.391    1.50   1.89190    37.1       25.90
34       -357.011    0.15                         28.05
35        229.921    3.11   1.89286    20.4       29.06
36        -87.477  (可変)                         29.70
像面        ∞   
非球面データ
第25面
K = 0.00000e+000  A 4=-3.15382e-006  A 6= 8.92401e-008  A 8=-2.62557e-010  A10= 2.43136e-012  A12= 1.92085e-015  
第26面
K = 0.00000e+000  A 4= 1.94447e-005  A 6= 8.00656e-008  A 8=-7.14666e-011  A10= 9.56772e-013  A12= 8.59893e-015  
各種データ
ズーム比     12.14 
広角     中間     望遠
焦点距離      24.30    85.03   294.97  
Fナンバー      4.12     5.40     6.49  
半画角（度）  37.76    14.28     4.19  
像高          18.82    21.64    21.64  
レンズ全長   148.20   195.38   239.44  
BF            12.23    47.13    64.46  
d 5            0.99    33.28    72.72  
d12           25.32    11.82     2.35  
d24           10.75     4.24     1.00  
d29           12.19     7.00     1.50  
d32            9.00    14.19    19.69  
d36           12.23    47.13    64.46  
入射瞳位置    34.49    99.87   333.71  
射出瞳位置   -50.09   -42.15   -40.82  
前側主点位置  49.32   103.92  -197.75  
後側主点位置 -12.07   -37.90  -230.51  
レンズ群データ
群  始面    焦点距離  レンズ構成長  前側主点位置  後側主点位置
1    1     124.17        17.33         3.93         -7.47
2    6     -20.13        15.22         3.67         -6.89
3   13      82.61        20.22       -13.32        -23.37
4   25      28.71        16.17         6.35         -5.70
5   30     -61.09         4.02         3.78          1.63
6   33    -126.25         4.76        -4.03         -6.83
単レンズデータ
レンズ  始面  焦点距離
1       1   -222.60
2       2    142.10
3       4    175.10
4       6    -29.25
5       8    -39.08
6       9     35.05
7      11    -72.64
8      14     45.56
9      16     34.69
10      17    -24.48
11      19    -44.05
12      20     25.01
13      22     32.43
14      23    -20.33
15      25     41.50
16      27    -86.96
17      28     40.25
18      30     66.87
19      31    -31.05
20      33    -44.14
21      35     71.30
（数値データ３）
単位 mm
面データ
面番号       r        d      nd         vd       有効径
1        148.153    2.40   1.90366    31.3       61.56
2         83.577    7.79   1.49700    81.5       57.24
3       -490.175    0.15                         56.64
4         80.287    6.18   1.49700    81.5       55.01
5        796.131  (可変)                         54.25
6      -3122.129    1.75   1.76385    48.5       36.00
7         27.840    5.70                         29.06
8        -75.750    1.40   1.62299    58.2       28.81
9         29.610    4.42   1.89286    20.4       26.18
10        648.455    1.90                         25.39
11        -51.882    1.20   1.85150    40.8       25.15
12       -624.426  (可変)                         24.52
13         35.434    2.93   1.91082    35.3       19.41
14       -266.163    2.00                         19.31
15(絞り)    ∞       0.40                         18.88
16         33.105    3.37   1.63980    34.5       18.53
17        -79.195    1.00   2.00100    29.1       18.00
18         34.317    1.00                         17.37
19         31.580    1.00   2.00069    25.5       17.42  第２部分群
20         20.327    3.84   1.56732    42.8       16.99  第２部分群
21        -76.058    1.74                         16.86  第２部分群
22        -30.079    1.00   2.00069    25.5       16.57
23       -155.512  (可変)                         16.87
24*       -74.310    3.44   1.58313    59.4       21.36
25*       -34.273    0.20                         22.97
26         39.846    1.30   1.85478    24.8       26.51
27         34.988    8.87   1.49700    81.5       26.68
28        -25.036  (可変)                         27.39
29         64.769    3.33   1.92286    18.9       25.63
30        180.862    1.50   1.85026    32.3       24.98
31         26.561  (可変)                         23.93
32        -34.248    1.50   1.77250    49.6       24.73
33        107.284    4.37   1.80810    22.8       27.28
34        -68.045  (可変)                         28.33
像面        ∞   
非球面データ
第24面
K = 0.00000e+000  A 4=-9.56903e-006  A 6= 1.26358e-007  A 8= 6.11715e-010  A10=-2.29266e-012  A12= 5.49746e-015  
第25面
K = 0.00000e+000  A 4= 1.45787e-005  A 6= 1.29156e-007  A 8= 3.25600e-010  A10= 1.99326e-012  A12=-9.32881e-015  
各種データ
ズーム比     11.33 
広角     中間     望遠
焦点距離      24.72    87.83   280.00  
Fナンバー      4.12     5.40     6.49  
半画角（度）  37.29    13.84     4.42  
像高          18.82    21.64    21.64  
レンズ全長   146.84   194.45   231.80  
BF            13.49    49.18    65.84  
d 5            1.33    35.55    71.95  
d12           27.60    13.52     1.50  
d23           13.67     5.46     1.77  
d28            7.79     2.15     1.50  
d31            7.28    12.93    13.57  
d34           13.49    49.18    65.84  
入射瞳位置    36.46   108.60   309.53  
射出瞳位置   -48.43   -37.10   -33.12  
前側主点位置  51.31   107.02  -202.74  
後側主点位置 -11.23   -38.65  -214.16  
レンズ群データ
群  始面    焦点距離  レンズ構成長  前側主点位置  後側主点位置
1    1     128.59        16.52         4.50         -6.33
2    6     -20.97        16.37         4.35         -7.07
3   13      59.10        18.27       -18.04        -23.67
4   24      26.10        13.81         5.94         -3.44
5   29     -58.80         4.83         4.82          2.11
6   32    -105.51         5.87        -4.12         -7.68
単レンズデータ
レンズ  始面  焦点距離
1       1   -216.00
2       2    144.32
3       4    179.15
4       6    -36.12
5       8    -34.00
6       9     34.63
7      11    -66.51
8      13     34.49
9      16     36.92
10      17    -23.81
11      19    -59.66
12      20     28.69
13      22    -37.42
14      24    105.74
15      26   -383.00
16      27     30.88
17      29    107.86
18      30    -36.78
19      32    -33.45
20      33     52.10
（数値データ４）
単位 mm
面データ
面番号       r        d      nd         vd       有効径
1        128.115    1.85   1.90366    31.3       56.17
2         67.850    8.48   1.49700    81.5       53.93
3       -848.648    0.15                         52.86
4         69.496    6.47   1.61800    63.4       50.67
5        734.010  (可変)                         49.67
6        226.907    1.28   1.85150    40.8       27.52
7         20.526    4.75                         22.32
8        -55.725    1.09   1.85150    40.8       21.88
9         45.678    0.47                         20.69
10         35.586    4.47   1.92286    20.9       20.48
11        -62.908    0.83                         19.56
12        -32.549    1.03   1.77250    49.6       19.39
13        905.300  (可変)                         18.59
14(絞り)    ∞       0.35                         16.00
15         27.258    2.94   1.76182    26.5       16.72
16       -610.228    0.15                         16.64
17         19.523    3.46   1.58144    40.8       16.43
18      -2584.417    0.82   2.00100    29.1       15.78
19         20.598    3.14                         15.08
20         35.168    0.80   2.00069    25.5       15.48  第２部分群
21         18.654    4.41   1.72000    43.7       15.25  第２部分群
22        -62.705    2.28                         15.18  第２部分群
23        -25.704    0.80   2.00100    29.1       14.81
24       -155.056  (可変)                         15.13
25*        46.862    2.35   1.53110    55.9       20.19
26*       236.522    1.47                         21.12
27       -170.780    1.25   1.85478    24.8       21.81
28        168.818    5.25   1.59282    68.6       22.81
29        -26.654    0.15                         24.05
30         45.782    5.87   1.49700    81.5       26.03
31        -44.943    3.73                         26.16
32         93.760    1.77   1.80518    25.4       24.75
33        295.340    1.10   1.63854    55.4       24.46
34         23.670   15.54                         23.46
35        -49.488    1.28   1.83481    42.7       26.82
36         46.339    5.24   1.84666    23.8       29.16
37       -108.890  (可変)                         29.94
像面        ∞   
非球面データ
第25面
K = 0.00000e+000  A 4=-5.38146e-006  A 6=-1.99278e-007  A 8= 1.59495e-009  A10=-1.74446e-011  A12= 5.35029e-014  
第26面
K = 0.00000e+000  A 4= 2.56829e-005  A 6=-1.88110e-007  A 8= 8.93504e-010  A10=-9.70722e-012  A12= 2.66029e-014  
各種データ
ズーム比      8.09 
広角     中間     望遠
焦点距離      24.72    70.34   200.00  
Fナンバー      4.12     5.66     6.41  
半画角（度）  37.55    17.10     6.17  
像高          19.00    21.64    21.64  
レンズ全長   142.00   177.40   209.67  
BF            14.77    40.58    55.81  
d 5            1.31    27.34    54.98  
d13           22.18    10.46     2.35  
d24            8.72     3.99     1.50  
d37           14.77    40.58    55.81  
入射瞳位置    30.54    82.61   215.31  
射出瞳位置   -58.92   -46.62   -42.06  
前側主点位置  46.97    96.21     6.64  
後側主点位置  -9.95   -29.76  -144.19  
レンズ群データ
群  始面    焦点距離  レンズ構成長  前側主点位置  後側主点位置
1    1     103.55        16.95         5.16         -5.71
2    6     -16.73        13.92         2.75         -6.82
3   14      57.15        19.16       -19.47        -24.84
4   25      31.43        44.99        -4.88        -33.15
単レンズデータ
レンズ  始面  焦点距離
1       1   -161.98
2       2    126.80
3       4    123.75
4       6    -26.58
5       8    -29.33
6      10     25.18
7      12    -40.65
8      15     34.32
9      17     33.34
10      18    -20.41
11      20    -40.68
12      21     20.43
13      23    -30.88
14      25    109.57
15      27    -99.15
16      28     39.22
17      30     46.63
18      32    169.94
19      33    -40.36
20      35    -28.49
21      36     39.00
（数値データ５）
単位 mm
面データ
面番号       r        d      nd         vd       有効径
1        120.412    1.85   1.90366    31.3       57.08
2         66.203    8.65   1.49700    81.5       54.75
3       -901.353    0.15                         53.72
4         67.844    6.55   1.61800    63.3       51.08
5        636.631  (可変)                         50.06
6        248.838    1.28   1.85150    40.8       27.07
7         19.861    4.86                         21.83
8        -55.253    1.09   1.85150    40.8       21.14
9         47.170    0.61                         19.99
10         34.885    4.19   1.92286    20.9       19.71
11        -66.547    0.93                         18.79
12        -30.461    1.03   1.77250    49.6       18.61
13        672.724  (可変)                         17.84
14(絞り)    ∞       0.35                         15.91
15         31.737    2.87   1.76182    26.5       16.57
16       -168.821    0.15                         16.58
17         19.509    3.28   1.56732    42.8       16.46
18        309.261    0.82   2.00100    29.1       15.89
19         22.249    2.53                         15.28
20         34.965    0.80   2.00069    25.5       15.55  第２部分群
21         18.128    5.07   1.72000    43.7       15.29  第２部分群
22        -63.323    2.25                         15.17  第２部分群
23        -26.498    0.80   2.00100    29.1       14.77
24       -111.847  (可変)                         15.04
25*        57.849    1.82   1.53110    55.9       17.53
26*        91.586    2.04                         18.30
27       -134.898    1.25   1.85478    24.8       19.25
28        177.492    4.98   1.59282    68.6       20.24
29        -29.167    0.15                         21.89
30         45.030    5.73   1.49700    81.5       24.04
31        -37.220    3.73                         24.37
32         78.768    1.73   1.80518    25.4       23.67
33        190.055    1.10   1.61772    49.8       23.43
34         24.341   15.54                         22.72
35        -50.217    1.28   1.83481    42.7       26.43
36         46.993    6.31   1.84666    23.8       28.71
37       -110.119  (可変)                         30.00
像面        ∞   
非球面データ
第25面
K = 0.00000e+000  A 4= 3.84212e-006  A 6= 1.72590e-007  A 8=-8.11091e-009  A10= 9.58508e-011  A12=-4.31421e-013  
第26面
K = 0.00000e+000  A 4= 3.30206e-005  A 6= 1.41088e-007  A 8=-7.15728e-009  A10= 7.88180e-011  A12=-3.28895e-013  
各種データ
ズーム比      8.09 
広角     中間     望遠
焦点距離      24.72    70.54   200.00  
Fナンバー      4.12     5.66     6.41  
半画角（度）  37.55    17.05     6.17  
像高          19.00    21.64    21.64  
レンズ全長   142.00   177.64   209.47  
BF            14.51    41.28    57.00  
d 5            1.32    27.03    53.37  
d13           21.97    10.37     2.35  
d24            8.45     3.20     1.00  
d37           14.51    41.28    57.00  
入射瞳位置    30.54    83.88   217.72  
射出瞳位置   -58.88   -47.16   -43.43  
前側主点位置  46.93    98.15    19.44  
後側主点位置 -10.21   -29.26  -143.00  
レンズ群データ
群  始面    焦点距離  レンズ構成長  前側主点位置  後側主点位置
1    1      99.97        17.20         5.05         -5.99
2    6     -15.59        13.99         2.90         -6.76
3   14      45.63        18.91       -12.04        -19.97
4   25      38.31        45.66        -3.72        -33.76
単レンズデータ
レンズ  始面  焦点距離
1       1   -165.41
2       2    124.46
3       4    122.34
4       6    -25.41
5       8    -29.74
6      10     25.30
7      12    -37.70
8      15     35.29
9      17     36.55
10      18    -23.98
11      20    -38.53
12      21     20.10
13      23    -34.85
14      25    290.26
15      27    -89.50
16      28     42.64
17      30     41.97
18      32    165.92
19      33    -45.31
20      35    -28.91
21      36     39.63
【００６８】
【表１】
2020071439.tif 000004
【符号の説明】
【００６９】
Ｌ０  ズームレンズ、ＬＲ  後群、Ｌ１  第１レンズ群、Ｌ２  第２レンズ群、
Ｌ３  第３レンズ群、Ｘ  第１部分群、Ｙ  第２部分群、Ｚ  第３部分群、
ＸＹＺ  補正レンズ群（１つのレンズ群）
【図１】
2020071439.tif 000005
【図２】
2020071439.tif 000006
【図３】
2020071439.tif 000007
【図４】
2020071439.tif 000008
【図５】
2020071439.tif 000009
【図６】
2020071439.tif 000010
【図７】
2020071439.tif 000011
【図８】
2020071439.tif 000012
【図９】
2020071439.tif 000013
【図１０】
2020071439.tif 000014
【図１１】
2020071439.tif 000015
【図１２】
2020071439.tif 000016
【図１３】
2020071439.tif 000017
【図１４】
2020071439.tif 000018
【図１５】
2020071439.tif 000019
【図１６】
2020071439.tif 000020